(57)【要約】      （修正有）【課題】パネルをはめ込み易く、パネルのガタつきの少ないパネルフレームを提供する。【解決手段】パネルフレーム１０は、長板状の表壁１１と、長板状の裏壁１２と、表壁１１及び裏壁１２を連結する側壁１３と、パネルフレーム１０の長手方向に沿ったパネル挿入溝１４とを備え、表壁１１及び裏壁１２は、内面に長手方向に平行に延びるよう設けられる２本ずつの軟質性樹脂からなるパネル挟持用凸条１６ａ，１６ｂを有し、２本のパネル挟持用凸状１６ａ、１６ｂの間に、硬質樹脂からなるパネル拘束用凸条１５を１本ずつ有する。【選択図】図１
2014118738.tif 000002
【特許請求の範囲】
【請求項１】
パネルの外周を補強するパネルフレームであって、
長板状の表壁と、
長板状の裏壁と、
前記表壁の長手方向に沿った一の端辺と前記裏壁の長手方向に沿った一の端辺とを連結する側壁と、
前記表壁の長手方向に沿った他の端辺と前記裏壁の長手方向に沿った他の端辺の間に設けられ前記パネルの端部を挿入するパネル挿入溝と、を備え、
前記表壁及び裏壁は、内面に長手方向に平行に延びるよう設けられる２本ずつの軟質性樹脂からなるパネル挟持用凸条を有し、前記２本のパネル挟持用凸状の間に、硬質樹脂からなるパネル拘束用凸条を１本ずつ有することを特徴とするパネルフレーム。
【請求項２】
前記表壁又は裏壁のいずれか一方のみが、外面に手掛け用凹条を備える請求項１に記載のパネルフレーム。
【発明の詳細な説明】
【技術分野】
【０００１】
この発明は、既存窓に後付けする簡易内窓の遮熱・断熱用パネルや、室内に設置するパーテーション用の目隠し用パネルの外周に嵌め込むパネルフレームに関する。
【背景技術】
【０００２】
近年、結露の防止や防音、遮熱、断熱を目的として、既存の窓を二重窓とする後付け用の内窓が各種普及するに至っている。このような内窓に一般の窓用サッシ同様、ガラス板とアルミニウム製フレームとを用いると、商品そのものが高価な上に内装業者等の工事費が必要になって取付け費用が嵩むため、ガラス板の代わりにポリカーボネイトやアクリルボードを用い、アルミ製フレームの代わりに樹脂製パネルフレームを用いて日曜大工で取付け可能な簡易内窓が提案されている（例えば、非特許文献１参照）。
【０００３】
ところが、非特許文献１のパネルフレームは、パネル挿入溝の端縁のみでパネルを挟持するためパネルがガタつくという問題が有った。そこで、パネル挿入溝にパネルを挟持・拘束する３対の平行な凸条を備えるパネルフレームが販売されている（非特許文献２参照）。この非特許文献２に係るパネルフレームは、３対の平行な凸状のうち、パネルを挟持するための外側２対の凸条が軟質製樹脂により形成されるとともにパネルを拘束するための最奥の一対の凸条が硬質樹脂で形成されている。
【先行技術文献】
【非特許文献】
【０００４】
【非特許文献１】アクリサンデー株式会社のホームページのエコな簡易内窓用部材のページ、平成２４年１１月１６日検索、＜ＵＲＬ：ｈｔｔｐ：//ｗｗｗ.ａｃｒｙｓｕｎｄａｙ.ｃｏ.ｊｐ/ｅｃｏｍａｄｏ/ｉｎｄｅｘ.ｈｔｍｌ＞
【非特許文献２】株式会社光モールのホームページの商品のご案内のページの<１>パネルフレーム、平成２４年１１月１６日検索、＜ＵＲＬ：ｈｔｔｐ：／／ｗｗｗ．ｈ‐ｍｏｌ．ｃｏ．ｊｐ／ｐｒｏｄｕｃｔ／ｉｔｅｍ．ｐｈｐ？ｐｉｄ=１０＆ｍｉｄ=６０＞
【発明の概要】
【発明が解決しようとする課題】
【０００５】
しかし、通常、アクリルボード等の樹脂製パネルは多少湾曲しているため、又厚みに若干の誤差を有するため、非特許文献２のパネルフレームのように最奥に拘束用の凸条が位置していると、パネルを挿入しにくいという問題が有る。また、非特許文献２のパネルフレームにおいては、２対の挟持用凸条が、拘束用凸状の同じ側（外側）に設けられていて互いの距離が近いため、パネルの回動を充分に抑えることができずガタつきが生じ易いという問題が有る。
本発明は、上記課題に鑑みてなされたものであり、パネルを挿入し易く、かつパネルに取付けた際にガタつきの少ないパネルサッシの提供を目的とする。
【課題を解決するための手段】
【０００６】
上記課題を解決するためになされた発明は、パネルの外周を補強するパネルフレームであって、長板状の表壁と、長板状の裏壁と、前記表壁の長手方向に沿った一の端辺と前記裏壁の長手方向に沿った一の端辺とを連結する側壁と、前記表壁の長手方向に沿った他の端辺と前記裏壁の長手方向に沿った他の端辺の間に設けられ前記パネルの端部を挿入するパネル挿入溝と、を備え、前記表壁及び裏壁は、内面に長手方向に平行に延びるよう設けられる２本ずつの軟質性樹脂からなるパネル挟持用凸条（以下「挟持用凸条」という。）を有し、前記２本のパネル挟持用凸状の間に、硬質樹脂からなるパネル拘束用凸条（以下「拘束用凸条」という。）を１本ずつ有することを特徴とする。
【０００７】
本発明に係るパネルフレームでは、このように、硬質樹脂からなるパネル拘束用凸条を軟質性樹脂からなる２本のパネル挟持用樹脂の間に設けたため、硬質樹脂製の拘束用凸条１５がリブの働きをして挟持用凸条１６ａ，１６ｂを効果的に補強するため、挟持用凸条１６ａ，１６ｂが長手方向について湾曲しにくくなる。また、２本の挟持用凸状の距離が大きくなるため、樹脂製パネルの回動を少なくすることができ、パネルのガタつきを効果的に抑制することができる。
【０００８】
本発明のパネルフレームは、前記表壁又は裏壁のいずれか一方のみが、外面に手掛け用凹条を備えることが好ましい。このように、手掛けを凸条ではなく凹条にして、かつ表壁又は裏壁の一方のみに設けるようにすると、手掛け用凹条のある面を既存窓側に向けてもこの凹条が既存窓にぶつからないため、手掛けの必要がない横方向に用いる場合は凹条のある方を室外側（既存窓側）に向けることができ、手掛けが必要な縦方向に用いる場合は手掛け用凹条のある方を室内側に向けることができるため、縦方向用と横方向用のパネルを共通部材とすることができる。
【発明の効果】
【０００９】
以上説明したように、本発明のパネルフレームによれば、パネルの挿入を容易にするとともに、パネルのガタつきを抑制することができる。
【図面の簡単な説明】
【００１０】
【図１】本発明の一の実施の形態に係るパネルフレームの要部斜視図である。
【図２】本発明一の実施の形態に係るパネルフレームを用いた内窓の(ａ)側面視端面図、(ｂ)平面視端面図である。
【図３】本発明の一の実施の形態に係るパネルフレームを用いた内窓の断面斜視図である。
【図４】本発明の一の実施の形態に係るパネルフレームに用いる補強材の要部斜視図である。
【図５】本発明の一の実施の形態に係るパネルフレームを用いたパーテーションの斜視図である。
【発明を実施するための形態】
【００１１】
以下、適宜図面を用いながら、本発明の実施の形態について詳述する。図１は、本発明の一の実施の形態に係るパネルフレーム１０を示している。
尚、本発明のパネルフレームは、以下の実施の形態に限られるものではない。
【００１２】
パネルフレーム１０は、図１に示すように、断面略コ字形状を有する長尺部材であり、塩化ビニール等の樹脂材料を押し出し加工することにより一体成型される。パネルフレーム１０は、長板状の表壁１１及び裏壁１２と、表壁１１及び裏壁１２の長手方向に沿った一側端辺どうしを連結する側壁１３とを備えている。
【００１３】
表壁１１及び裏壁１２の内面には、パネルフレーム１０の長手方向に平行に延びる各２本ずつ２対の挟持用凸条１６ａ，１６ｂと、この挟持用凸条１６ａ，１６ｂの間に拘束用凸条１５が設けられている。中央の拘束用凸条１５は、表壁１１、裏壁１２及び側壁１３と同じ硬質樹脂により形成され、両側の挟持用凸条１６ａ，１６ｂは、軟質性樹脂により形成されている。対向する拘束用凸条１５，１５間の距離は、挟持用凸条１６ａ，１６ａ間及び１６ｂ，１６ｂ間の距離よりも大きくなるよう設けられている。また、凸条１５，１６ａ，１６ｂよりも側壁１３よりに、表壁１１と裏壁１２とを連結する補強壁１７が設けられている。
【００１４】
表壁１１の外面には、図１に示すように、表壁１１の長手方向に延びる手掛け用の凹条１８が設けられている。また、表壁１１及び裏壁１２の外面には、後述する補強材３０の嵌合用凸条３１と嵌合する嵌合用凹条１９が各２本設けられている。
【００１５】
（実施例１）
次に、パネルフレーム１０を用いた実施例について説明する。図３は、パネルフレーム１０を用いた内窓１００を示している。内窓１００は、図３のように、既成の窓枠Ｂに後付けされて二重窓を形成するために用いられる。内窓１００は、図２に示すように、ポリカーボネイトやアクリルボード等の樹脂製ボードからなるパネル２０と、パネル２０の外周を補強するパネルフレーム１０と、断面が山の字形状を有する長尺部材の上レール２１及び下レール２２（図２（ａ）参照）と、断面がコ字形状を有する長尺部材からなる一対の横カバー２３，２３（図２（ｂ）参照）とを備えている。
【００１６】
内窓１００の作成手順について説明すると、まず、内窓１００を取付ける窓枠Ｂの各部の寸法に合わせて、パネルフレーム１０、パネル２０、上レール２１、下レール２２、一対の横カバー２３，２３を切断加工する。続けて、左右一対の横カバー２３，２３を窓枠Ｂの縦枠の見込み部分に薄手の両面テープや接着剤、木ネジ等を用いて取付ける。次に窓枠Ｂの上枠及び下枠の見込み部分に上レール２１及び下レール２２をそれぞれ横カバーと同様に取付ける。上レール２１及び下レール２２の端部は、横カバー２３の内側に嵌め込むようにする。
【００１７】
一方で、パネルフレーム１０の挿入溝１４にパネル２０の端辺を差し込む。パネルフレーム１０に、パネル２０を差し込むと、パネル２０は、拘束用凸条１５によっておおよその位置に拘束されながら挟持用凸条１６ａ，１６ｂによって挟持される。
【００１８】
ここで、パネルフレーム１０は、２本の軟質樹脂からなる挟持用凸条１６ａ，１６ｂの間に配設した硬質樹脂製の拘束用凸条１５がリブの働きを兼ねて挟持用凸条１６ａ，１６ｂを補強し、挟持用凸条１６ａ，１６ｂが長手方向について湾曲しにくくなるため、パネルのガタつきを抑制することができる。加えて、パネルフレーム１０は、拘束用凸条１５の外側（パネル挿入溝１４側）に２本の軟質樹脂製の挟持用凸条１６ａ，１６ｂを配置する場合に比べて、挟持用凸条１６ａ，１６ｂ間の距離が大きいためパネル２０の回動を抑えることができ、さらに挟持用凸条１６ｂと補強壁１７の距離が近いため挟持用凸条１６ｂと補強壁１７とでパネル２０の先端部の振動を抑えることができるため、これらの相乗効果によって、パネル２０のガタつきを効果的に抑制することができる。
【００１９】
また、パネルフレーム１０は、拘束用凸条１５の外側（パネル挿入溝１４側）に挟持用凸条１６ａ，１６ｂを配置する場合に比べて、拘束用凸条１５がパネル挿入溝１４に近くパネルが多少湾曲していても、また誤差により多少パネル２０が厚くても、パネルを挿入し易い。
尚、肉薄のパネル２０を用いる場合には、パネル２０と挟持用凸条１６ａ，１６ｂの間に、調節板（不図示）を挿入してもよい。
【００２０】
また、パネル２０の縦辺に取付けるパネルフレーム１０は、手掛け用凹条１８の設けられた表壁１１を室内側に向けて取付け、パネル２０の横辺に取付けるパネルフレーム１０は、手掛け用凹条１８を室外側（既成窓Ａ側）となるよう取付ける。このように、パネルフレーム１０は、表壁１１のみに手掛け用凹条１８が設けられているので、手掛けが必要なところ以外は、手掛け用凹条１８を外側にして取付けることで、意匠性を高めることができる。パネル２０は、窓枠Ｂの左右用に２枚設けられ、パネルフレーム１０を取付けたのち引き違いにして上下のレール２１，２２間に取り付けられる。
【００２１】
（実施例２）
図５は、パネルフレーム１０をパーテーション２００に用いた例を示している。パーテーション２００は、パネルフレーム１０と、中空ポリカーボネイト製の中空ボードからなるパネル４０と、Ｌ字の支持脚５０と、Ｌ字の支持脚を固定するコ字型金具５１とを備えている。このように、パネルフレーム１０をパーテーションに用いる場合、例えば、縦方向のパネルフレーム１０及び横方向のパネルフレーム１０の両方とも手掛け用凹条１８を同じ側に集めると意匠性を高めることができる。また、パネルが大きい場合には、パネル４０及びパネルフレーム１０の湾曲を抑えるために、図４に示した補強材３０をパネルフレーム１０に外嵌させてもよい。補強材３０は、図４に示すように、断面が略コ字状を有し開口部３３の端辺にパネルフレーム１０の角部に係止する係止用凸条３２が設けられるとともに、開口部３３側がやや狭くなるよう形成されており、パネルフレーム１０を嵌め込んだ際に押し広げられた反力で、パネルフレーム１０を挟持するよう構成されている。
尚、図４において、符号３１は、パネルフレーム１０の嵌合用凹条１９に嵌合する嵌合用凸条を示している。
【００２２】
本発明のパネルフレームは上記の実施形態に限らず、例えば、手掛け用凹条を有さないものも含む。また、嵌合用凹条や補強壁は省略することができるし、表壁や裏壁、側壁を曲面に形成することもできる。パネルフレームを取付けたパネルは引き違いでなくはめ殺しにしてもよい。
【産業上の利用可能性】
【００２３】
本発明のパネルフレームは、パネルをはめ込みやすく、またパネルのガタつきが少ないため、各種の内窓やパーテーション用のパネルに好適に用いることができる。
【符号の説明】
【００２４】
２０  パネル
１０  パネルフレーム
１１  表壁
１２  裏壁
１３  側壁
１４  パネル挿入溝
１５  パネル拘束用凸条
１６ａ  パネル挟持用凸条
１６ｂ  パネル挟持用凸条
１８  手掛け用凹条
【図１】
2014118738.tif 000003
【図２】
2014118738.tif 000004
【図３】
2014118738.tif 000005
【図４】
2014118738.tif 000006
【図５】
2014118738.tif 000007